(57)【要約】【課題】販売前の流通、保管時あるいは販売陳列時等に、他人により意図的にあるいは不意に外力が加えられてもカバー体が吐出器本体から外れるのを防ぐことができるとともに、カバー体が吐出器本体から外されたことがあるか否かを容易に判別することが可能で、さらに購入者自身が内容物の使用を開始した後も、不意に加えられた外力により内容物が吐出されてしまうのを防ぐ。【解決手段】吐出器本体６を覆うカバー体７は、押下ヘッド５を上方から覆う頂部７１と、この頂部７１から下方に向けて延設され上側部分を径方向の外側から覆う周壁部７２を備え、周壁部７２内に第１破断容易部７４を介して連結された第１係合片７５と、第２破断容易部７６を介して連結されるとともに第１係合片７５に係合することで、上側部分が開口部７２ｂを径方向に通過することを規制する第２係合片７７とを備えている。【選択図】図３
2010274986.tif 000002
【特許請求の範囲】
【請求項１】
内容物が収容された容器体の口部に装着される有頂筒状の装着キャップと、
この装着キャップに上方付勢状態で下方移動可能に貫設されたステムを有するポンプと、
前記ステムの上端に装着されるとともに吐出孔が形成された押下ヘッドと、を備え、
前記押下ヘッドを押下して前記ステムを下方に移動させ前記ポンプを作動させることにより、容器体内の内容物が移送されて前記吐出孔から吐出される吐出器本体を有する吐出器であって、
前記吐出器本体のうち前記装着キャップの天壁部よりも上方に位置する上側部分を覆うカバー体を備え、
このカバー体は、前記押下ヘッドを上方から覆う頂部と、この頂部から下方に向けて延設され前記上側部分を径方向の外側から覆うとともに下端が前記装着キャップの天壁部上に配置された周壁部と、を備え、
前記装着キャップの天壁部には、前記押下ヘッドの上下動を案内する案内筒部が立設され、
前記周壁部は、上下方向に延び下方に向けて開口する開口部を有し、前記カバー体および吐出器本体の径方向に沿った相対的な進退移動に伴い、前記上側部分が前記開口部を径方向に通過することで前記周壁部に対して着脱され、
前記案内筒部には、前記周壁部内に周方向に沿って延設された凸部が係止されることで、前記吐出器本体に対する前記カバー体の上方に向けた移動を規制する凹部が形成され、
前記カバー体は、前記周壁部に第１破断容易部を介して連結された第１係合片と、第２破断容易部を介して連結されるとともに、前記第１係合片に係合することで、前記上側部分が前記開口部を径方向に通過することを規制する第２係合片と、を備えていることを特徴とする吐出器。
【請求項２】
請求項１記載の吐出器であって、
前記第２係合片は、前記カバー体の頂部に前記第２破断容易部を介して連設されるとともに、前記第１係合片に係合した状態で上下方向に延びる係止部を有し、
前記係止部は、前記径方向において前記上側部分に近接または当接していることを特徴とする吐出器。
【発明の詳細な説明】
【技術分野】
【０００１】
本発明は、吐出器に関するものである。
【背景技術】
【０００２】
従来、内容物が収容された容器体の口部に装着される有頂筒状の装着キャップと、この装着キャップに上方付勢状態で下方移動可能に貫設されたステムを有するポンプと、ステムの上端に装着されるとともに吐出孔が形成された押下ヘッドと、を備え、押下ヘッドを押下してステムを下方に移動させ前記ポンプを作動させることにより、容器体内の内容物が移送されて吐出孔から吐出される吐出器本体、並びにこの吐出器本体のうち装着キャップの天壁部よりも上方に位置する部分を覆うカバー体を備える吐出器が知られている。
このようなカバー体として、例えば下記特許文献１に示されるように、不意に加えられた外力を受け止め、この外力がステムに伝わるのを防ぐことで内容物が吐出されることを防止する構成が知られている。
ところで近年では、販売前の流通、保管時あるいは販売陳列時等に、他人により意図的にあるいは不意に加えられた外力によって内容物が吐出されてしまうことを防止でき、さらに未使用であることを容易に判別させることが可能な構成が要望されている。
【先行技術文献】
【特許文献】
【０００３】
【特許文献１】特開２００６−３２７６１２号公報
【発明の概要】
【発明が解決しようとする課題】
【０００４】
しかしながら、前記従来の吐出器では、前記カバー体が吐出器本体から外れ易く、しかも外された後に再度装着されると、カバー体が外れたことがあるか否かの判別が困難であり、前述の要望に対応し難いという問題があった。
【０００５】
本発明は、上述する問題点に鑑みてなされたもので、販売前の流通、保管時あるいは販売陳列時等に、他人により意図的にあるいは不意に外力が加えられてもカバー体が吐出器本体から外れるのを防ぐことができるとともに、カバー体が吐出器本体から外されたことがあるか否かを容易に判別することが可能で、さらに購入者自身が内容物の使用を開始した後も、不意に加えられた外力により内容物が吐出されてしまうのを防ぐことができる吐出器を提供することを目的とする。
【課題を解決するための手段】
【０００６】
上記目的を達成するため、本発明に係る吐出器では、内容物が収容された容器体の口部に装着される有頂筒状の装着キャップと、この装着キャップに上方付勢状態で下方移動可能に貫設されたステムを有するポンプと、前記ステムの上端に装着されるとともに吐出孔が形成された押下ヘッドと、を備え、前記押下ヘッドを押下して前記ステムを下方に移動させ前記ポンプを作動させることにより、容器体内の内容物が移送されて前記吐出孔から吐出される吐出器本体を有する吐出器であって、前記吐出器本体のうち前記装着キャップの天壁部よりも上方に位置する上側部分を覆うカバー体を備え、このカバー体は、前記押下ヘッドを上方から覆う頂部と、この頂部から下方に向けて延設され前記上側部分を径方向の外側から覆うとともに下端が前記装着キャップの天壁部上に配置された周壁部と、を備え、前記装着キャップの天壁部には、前記押下ヘッドの上下動を案内する案内筒部が立設され、前記周壁部は、上下方向に延び下方に向けて開口する開口部を有し、前記カバー体および吐出器本体の径方向に沿った相対的な進退移動に伴い、前記上側部分が前記開口部を径方向に通過することで前記周壁部に対して着脱され、前記案内筒部には、前記周壁部内に周方向に沿って延設された凸部が係止されることで、前記吐出器本体に対する前記カバー体の上方に向けた移動を規制する凹部が形成され、前記カバー体は、前記周壁部に第１破断容易部を介して連結された第１係合片と、第２破断容易部を介して連結されるとともに、前記第１係合片に係合することで、前記上側部分が前記開口部を径方向に通過することを規制する第２係合片と、を備えていることを特徴としている。
【０００７】
本発明によれば、案内筒部に凹部が形成されているので、この凹部にカバー体の凸部を係合させることで、カバー体の吐出器本体に対する上方に向けた移動を規制することが可能になり、カバー体が、吐出器本体に対して上方に向けて移動して吐出器本体から外れるのを防ぐことができる。
また、カバー体に連結されている第１係合片と第２係合片とを係合させることで、前記上側部分が開口部を径方向に通過するのを規制することが可能になり、前記上側部分が開口部を径方向に通過することで周壁部から離脱してカバー体が吐出器本体から外れるのを防ぐことができる。
以上より、販売前の流通、保管時あるいは販売陳列時等に、他人により意図的にあるいは不意に外力が加えられてもカバー体が吐出器本体から外れるのを防ぐことができる。
【０００８】
また、カバー体を吐出器本体から外すには、第１係合片と第２係合片のそれぞれに対応する第１破断容易部および第２破断容易部のうち少なくとも一方を破断させてカバー体から分離させ、その後、カバー体および吐出器本体を相対的に径方向に沿って離間移動させることで、吐出器本体の前記上側部分に周壁部の開口部を径方向に通過させ前記上側部分を周壁部から離脱させる。
このように、カバー体を吐出器本体から外すためには、第１破断容易部および第２破断容易部のうち少なくとも一方を破断させてカバー体から分離させなければならず、カバー体が吐出器本体から外れたことがあるか否かを購入者に容易に判別させることができる。
【０００９】
そして、購入者において内容物の使用後に保管する際には、周壁部の開口部と、吐出器本体の前記上側部分と、を径方向で互いに対向させた状態で、カバー体と吐出器本体とを相対的に径方向に接近移動させることにより、吐出器本体の前記上側部分に周壁部の開口部を径方向に通過させて前記上側部分を周壁部に装着させてカバー体を吐出器本体に装着させる。これにより、押下ヘッドは、頂部により上方から覆われるとともに周壁部により径方向の外側から覆われ、また、周壁部の下端は、装着キャップの天壁部上に配置される。
以上のように、販売前の流通、保管時あるいは販売陳列時、さらには購入者により内容物の使用後の保管時の別を問わず、カバー体を吐出器本体に装着した状態では、押下ヘッドが、頂部により上方から覆われるとともに、この頂部から下方に向けて延設される周壁部の下端が、装着キャップの天端部上に配置されるので、吐出器に、この吐出器の上方から下方に向けて外力が加えられても、その力が、頂部および周壁部を介して装着キャップに伝達されて容器体により受け止められることとなり、押下ヘッドおよびステムの下方への移動を防止することができる。
したがって、販売前の流通、保管時あるいは販売陳列時、さらには購入者により内容物の使用後の保管時の別を問わず、カバー体が吐出器本体に装着されているときには、不意に加えられた外力などによって内容物が吐出されてしまうのを防ぐことができる。
【００１０】
また、前記第２係合片は、前記カバー体の頂部に前記第２破断容易部を介して連設されるとともに、前記第１係合片に係合した状態で上下方向に延びる係止部を有し、前記係止部は、径方向において前記上側部分に近接または当接していることが好ましい。
【００１１】
この場合、第１係合片と第２係合片とが係合した状態において、カバー体および吐出器本体を相対的に径方向に沿って離間移動させようとすると、押下ヘッドの囲繞筒部に沿って上下方向に延びる第２係合片の係止部が前記上側部分に径方向において近接または当接するので、前記離間移動を規制することができる。
そして、カバー体を吐出器本体から外すには、第１係合片と第２係合片のそれぞれに対応する第１破断容易部および第２破断容易部のうち少なくとも一方を破断させてカバー体から分離させ、その後、カバー体および吐出器本体を相対的に径方向に沿って離間移動させることで、吐出器本体の前記上側部分に周壁部の開口部を径方向に通過させ前記上側部分を周壁部から離脱させることができる。
【発明の効果】
【００１２】
本発明の吐出器によれば、販売前の流通、保管時あるいは販売陳列時等に、他人により意図的にあるいは不意に外力が加えられてもカバー体が吐出器本体から外れるのを防ぐことができるとともに、カバー体が吐出器本体から外されたことがあるか否かを容易に判別することが可能で、さらに購入者自身が内容物の使用を開始した後も、不意に加えられた外力により内容物が吐出されてしまうのを防ぐことができる。
【図面の簡単な説明】
【００１３】
【図１】本発明の実施の形態による吐出器の半縦断面図である。
【図２】図１に示す吐出器の一部破断正面図である。
【図３】図１に示す吐出器のカバー体の一部破断側面図であって、第２係合片の係止部上の位置で破断した図である。
【図４】図１のＡ−Ａ線断面図である。
【図５】図１〜図４に示す吐出器のカバー体の斜視図である。
【図６】本実施の形態の変形例による吐出器のカバー体の一部破断側面図であって、図３に対応する図である。
【図７】図６に示す吐出器のカバー体の斜視図である。
【発明を実施するための形態】
【００１４】
以下、図面を参照し、この発明の実施の形態について説明する。
本実施形態に係る吐出器１は、図１から図３に示されるように、内容物が収容された容器体２の口部２ａに装着される有頂筒状の装着キャップ３と、この装着キャップ３に上方付勢状態で下方移動可能に貫設されたステム４１を有するポンプ４と、ステム４１の上端に装着されるとともに吐出孔５３ａが形成された押下ヘッド５と、を備える吐出器本体６、並びに吐出器本体６のうち装着キャップ３の天壁部３１よりも上方に位置する部分を覆うカバー体７を備えている。
【００１５】
そして、カバー体７を吐出器本体６から外した状態で、押下ヘッド５を押下してステム４１を下方に移動させポンプ４を作動させることにより、容器体２内の内容物が移送されて吐出孔５３ａから吐出されるようになっている。
ここで、容器体２、装着キャップ３およびステム４１それぞれの中心軸は共通軸上に位置している。以下、この共通軸を中心軸Ｏといい、中心軸Ｏ方向に沿ってカバー体７の頂部７１側を上側、容器体２の図示されない底部側を下側といい、また中心軸Ｏに直交する方向を径方向といい、さらに中心軸Ｏを中心に周回する方向を周方向という。
【００１６】
装着キャップ３は、中央部に円形の開口が形成された天壁部３１と、天壁部３１の外周縁部から下方に向けて延設された係合筒部３２と、押下ヘッド５の上下動を案内するとともに天壁部３１に前記開口と同軸に配置され上方に向けて立設された案内筒部３３と、を備えている。係合筒部３２の内周面には雌ねじ部が形成されており、この雌ねじ部が容器体２の口部２ａに形成された雄ねじ部に螺合されることにより、装着キャップ３が容器体２に装着されている。
また、前記螺合にかえて、凹凸係合（所謂、アンダーカット係合）や、スナップ嵌合などを採用することもできる。改竄防止の観点からは、凹凸係合とすることが好ましい。
【００１７】
案内筒部３３には、後述するカバー体７の周壁部７２内に周方向に沿って延設された凸部７３が係止されることで、吐出器本体６に対するカバー体７の上方に向けた移動を規制する凹部３４が形成されている。この凹部３４は、案内筒部３３の上部位置で全周にわたって溝状に形成されるとともに、その溝幅（凹部３４における上下方向の長さ寸法）が前記凸部７３の上下方向の厚さ寸法より大きくなっている。そして、凹部３４の溝上面３４ａに凸部７３の上面が係止した状態において、カバー体７は上方への移動が規制されている。
【００１８】
ポンプ４は、前記ステム４１と、内部にステム４１の下部が上下動自在に配設されたシリンダ４２と、シリンダ４２の内部に上下摺動自在に配設された図示されないピストン部材と、ステム４１を上方に向けて付勢する図示されない付勢部材と、を備えている。
ステム４１の上部は、シリンダ４２の上端から上方に突出し、かつ装着キャップ３の案内筒部３３内に配設され、さらにその上端部は案内筒部３３の上端から上方に突出している。
シリンダ４２は、円筒状に形成されるとともに前記中心軸Ｏと同軸に配設されている。シリンダ４２の上端には、全周にわたってフランジ部４２ａが径方向の外側に向けて突設されており、このフランジ部４２ａが、装着キャップ３の天壁部３１の下面と、容器体２の口部２ａの開口端縁上のパッキン４３と、により上下方向に挟み込まれている。シリンダ４２の下端部内には、図示されないパイプの上端部が嵌合されており、このパイプの下端開口部が容器体２内の底部に位置している。
【００１９】
押下ヘッド５は、頂壁部５１と、頂壁部５１の下面における中央部から下方に向けて延設された図示されない装着筒部と、頂壁部５１の外周縁から下方に向けて延設され前記装着筒部を径方向の外側から囲繞する囲繞筒部５２と、囲繞筒部５２の外周面に径方向の外側に向けて突設された吐出筒５３と、を備えている。
前記装着筒部内にステム４１の上端部が嵌合されており、前記装着筒部内とステム４１内とが連通している。吐出筒５３の先端には前記吐出孔５３ａが形成され、また吐出筒５３の内部は前記装着筒部の内部と連通している。
【００２０】
囲繞筒部５２において、外周面は上下方向における全長にわたって同等の外径となっている。囲繞筒部５２の内径は、装着キャップ３の案内筒部３３の外径よりも大きくなっており、押下ヘッド５の上下動に伴い、案内筒部３３が囲繞筒部５２内に下側から進退移動するようになっている。また、カバー体７を後述のように吐出器本体６から外したときに、囲繞筒部５２の下端開口縁５２ａがその全周にわたって、装着キャップ３の天壁部３１の上面に上方から対向するようになっている。なお、図示の例では、案内筒部３３の上端部は、押下ヘッド５の押下時および非押下時の別を問わず常に囲繞筒部５２内に位置している。
【００２１】
以上の構成において、押下ヘッド５を押下すると、まずステム４１が下方に向けて移動させられる。このステム４１の移動に追従して、前記ピストン部材がシリンダ４２の内周面に摺接しつつ下方に移動する。これにより、シリンダ４２内の内容物が圧縮され、この圧縮されたシリンダ４２内の内容物が、ステム４１内に進入してこのステム４１内を上方に向けて移動する。
その後、押下ヘッド５の押下を解除すると、前記ピストン部材が前記付勢部材の上方付勢力によりシリンダ４２の内周面に摺接しつつ上方に向けて復元移動する。これにより、シリンダ４２内が減圧され、容器体２内に収容されている内容物が前記パイプを通してシリンダ４２内に吸い上げられる。
【００２２】
そして、本実施形態では、カバー体７は、図１から図５に示されるように、吐出器本体６において装着キャップ３の案内筒部３３に離脱可能に外嵌されたものであり、吐出器本体６のうち装着キャップ３の天壁部３１よりも上方に位置する上側部分を覆っている。
すなわち、カバー体７は、押下ヘッド５を上方から覆う頂部７１と、この頂部７１から下方に向けて延設され前記上側部分を径方向の外側から覆うとともに下端７２ａが装着キャップ３の天壁部３１上に配置された周壁部７２と、周壁部７２に周方向に沿って設けられた凸部７３と、を備えている。
【００２３】
頂部７１は、平板状に形成されており、押下ヘッド５の頂壁部５１を上方からそのほぼ全域にわたって覆っている。
周壁部７２は、上下方向に全長にわたって延び下方に向けて開口する開口部７２ｂを有している。これにより、カバー体７は、図３から図５に示されるように、カバー体７および吐出器本体６の径方向に沿った相対的な進退移動に伴い、案内筒部３３が開口部７２ｂを周方向に拡幅するように周壁部７２を弾性変形させながら、前記上側部分が開口部７２ｂを径方向に通過することで周壁部７２に対して着脱されるようになっている。
【００２４】
ここで、周壁部７２は、前記上側部分のうち押下ヘッド５を覆う上部筒部７２ｃと、案内筒部３３を覆う下部筒部７２ｄと、を備えている。下部筒部７２ｄは、部分的にリブが設けられ上部筒部７２ｃより肉厚となる部分を有し、下部筒部７２ｄのリブ上端７２ｅ上には、囲繞筒部５２の下端開口端５２ａが配置されている。
周壁部７２の周方向の両縁端に位置する開口部７２ｂには、上部筒部７２ｃの位置で囲繞筒部５２に沿って開口部７２ｂから周方向に延長された保持片７２ｆが設けられている。両保持片７２ｆ、７２ｆを含む周壁部７２の周長が前記保持片７２ｆを含まない周長より長く、囲繞筒部５２に対して囲繞する範囲を大きくすることで、後述するように第１係合片７５と第２係合片７７がカバー体７に対して分離した場合であっても、カバー体７が吐出器本体６から簡単に外れないようになっている。
【００２５】
周壁部７２の凸部７３には、破断可能なブリッジを形成させた第１破断容易部７４を介して連結された平板状の第１係合片７５が備えられている。そして、頂部７１には、同じく破断可能な第２破断容易部７６を介して連結された第２係合片７７が備えられている。
第１係合片７５は、下部筒部７２ｄの内周面に沿って周方向に延びる凸部７３の周縁端から案内筒部３３の接線方向に突出し、その先端が押下ヘッド５の囲繞筒部５２より張り出した位置となっている。第１係合片７５には、後述する突起体７７ｃを挿通させて係合する貫通孔７５ａが形成されている。
【００２６】
第２係合片７７は、カバー体７の頂部７１に第２破断容易部７６を介して連設されるとともに、第１係合片７５に係合した状態で上下方向に延びる係止部７７ａを有し、係止部７７ａは、径方向において前記上側部分に近接または当接している。係止部７７ａ、７７ａは、下端どうしが囲繞筒部５２の周面に沿って湾曲した板状連結部７７ｂによって一体に連結され、その板状連結部７７ｂにおいて第１係合片７５に当接する表面には第１係合片７５の貫通孔７５ａに挿通することで係合する突起体７７ｃを備えている。
突起体７７ｃは、基端部７７ｄと、基端部７７ｄの先端側に接続する係止部７７ｅとからなり、係止部７７ｅの幅寸法は、基端部７７ｄ側から先端側に向かうに従い漸次小さくなるとともに、その基端部７７ｄ側における幅寸法は基端部７７ｄの幅寸法よりも大きくなっている。
【００２７】
これにより、図３に示す状態から、第２係合片７７の先端の板状連結部７７ｂを第１係合片７５の先端に接近させるように第２破断容易部７６を中心にして回転（矢印Ｅ１方向）させるとともに、第１係合片７５も第１破断容易部７４を中心にして上方へ押し上げるようにして回転（矢印Ｅ２方向）させることで、突起体７７ｃの係止部７７ｅが、貫通孔７５ａの内周面に摺接しつつ、この貫通孔７５ａを通過する。この際、図１に示されるように、第１係合片７５および第２係合片７７の板状連結部７７ｂの各表面が互いに重ね合わされ、かつ突起体７７ｃの係止部７７ｅにおける基端側の端面が、第１係合片７５の裏面に引っ掛かる。なお、突起体７７ｃの基端部７７ｄは、貫通孔７５ａ内に位置している。
【００２８】
以上説明したように、本実施形態による吐出器１によれば、案内筒部３３に凹部３４が形成されているので、この凹部３４にカバー体７の内面に周方向に沿って突設された凸部７３を係合させることで、カバー体７の吐出器本体６に対する上方に向けた移動を規制することが可能になり、カバー体７が、吐出器本体６に対して上方に向けて移動して吐出器本体６から外れるのを防ぐことができる。
【００２９】
また、カバー体７に連結されている第１係合片７５と第２係合片７７とを係合させることで、前記上側部分が開口部７２ｂを径方向に通過するのを規制することが可能になり、前記上側部分が開口部７２ｂを径方向に通過することで周壁部７２から離脱してカバー体７が吐出器本体６から外れるのを防ぐことができる。
以上より、販売前の流通、保管時あるいは販売陳列時等に、他人により意図的にあるいは不意に外力が加えられてもカバー体７が吐出器本体６から外れるのを防ぐことができる。
【００３０】
また、カバー体７を吐出器本体６から外すには、第１係合片７５と第２係合片７７のそれぞれに対応する第１破断容易部７４および第２破断容易部７６のうち少なくとも一方を破断させてカバー体７から分離させ、その後、カバー体７および吐出器本体６を相対的に径方向に沿って離間移動させることで、吐出器本体６の前記上側部分に周壁部７２の開口部７２ｂを径方向に通過させ前記上側部分を周壁部７２から離脱させる。
このように、カバー体７を吐出器本体６から外すためには、第１破断容易部７４、第２破断容易部７６を破断させて第１係合片７５および第２係合片７７をカバー体７から分離させなければならず、カバー体７が吐出器本体６から外れたことがあるか否かを購入者に容易に判別させることができる。
【００３１】
そして、購入者において内容物の使用後に保管する際には、周壁部７２の開口部７２ｂと、吐出器本体６の前記上側部分と、を径方向で互いに対向させた状態で、カバー体７と吐出器本体６とを相対的に径方向に接近移動させることにより、吐出器本体６の前記上側部分の周壁部７２の開口部７２ｂを径方向に通過させて前記上側部分を周壁部７２に装着させてカバー体７を吐出器本体６に装着させる。これにより、押下ヘッド５は、頂部７１により上方から覆われるとともに周壁部７２により径方向の外側から覆われ、また、周壁部７２の下端７２ａは、装着キャップ３の天壁部３１上に配置される。さらに周壁部７２の凸部７３が上方への移動が規制された状態で装着キャップ３の凹部３４に係止され、また凸部７３の上面７３ａと押下ヘッド５の囲繞筒部５２の下端開口縁５２ａとが上下方向で対向若しくは当接される。
【００３２】
また、本実施形態では、第１係合片７５と第２係合片７７とが係合した状態において、カバー体７および吐出器本体６を相対的に径方向に沿って離間移動させようとすると、押下ヘッド５の囲繞筒部５２に沿って上下方向に延びる第２係合片７７の係止部７７ａが前記上側部分に径方向において近接または当接するので、前記離間移動を規制することができる。そのため、カバー体７を吐出器本体６から外すには、例えば第１破断容易部７４および第２破断容易部７６のうち少なくとも第１破断容易部７４を破断させてカバー体７から分離させ、その後、カバー体７および吐出器本体６を相対的に径方向に沿って離間移動させることで、吐出器本体６の前記上側部分に周壁部７２の開口部７２ｂを径方向に通過させ前記上側部分を周壁部７２から離脱させることができる。
なお、本実施形態では、第２係合片７７の一対の係合部７７ａ、７７ａが板状連結部７７ｂによって連結されているので、カバー体７を吐出器本体６から外すためには、上述したように第１破断容易部７４での破断が必須であるが、さらにいえば、第２破断容易部７６が破断された状態で一対の第１破断容易部７４、７４のうち少なくとも一方が破断されてカバー体７から分離されれば、カバー体７を吐出器本体６から外すことが可能である。
【００３３】
以上のように、販売前の流通、保管時あるいは販売陳列時、さらには購入者により内容物の使用後の保管時の別を問わず、カバー体７を吐出器本体６に装着した状態では、押下ヘッド５が、頂部７１により上方から覆われるとともに、この頂部７１から下方に向けて延設される周壁部７２の下端７２ａが、装着キャップ３の天端部３１上に配置されるので、吐出器１に、この吐出器１の上方から下方に向けて外力が加えられても、その力が、頂部７１および周壁部７２を介して装着キャップ３に伝達されて容器体２により受け止められることとなり、押下ヘッド５およびステム４１の下方への移動を防止することができる。
【００３４】
したがって、販売前の流通、保管時あるいは販売陳列時、さらには購入者により内容物の使用後の保管時の別を問わず、カバー体７が吐出器本体６に装着されているときには、不意に加えられた外力などによって内容物が吐出されてしまうのを防ぐことができる。
【００３５】
次に、本発明の実施の形態の変形例について図６および図７に基づいて説明するが、上述の実施の形態と同一又は同様な部材、部分には同一の符号を用いて説明を省略し、異なる構成について説明する。
図６および図７に示すように、変形例による吐出器１のカバー体７は、第１係合片７５と第２係合片７７の形状、すなわち互いの係合する位置が上述した実施の形態と異なっている。本変形例では、カバー体７の第１係合片７５は、凸部７３から第１破断容易部７４を介して連設された第１片部７５ｄと、第１片部７５ｄの先端から下方に向けて延設された第２片部７５ｅと、を備えている。第１片部７５ｄの先端上面には押下ヘッド５の囲繞筒部５２の下端開口縁５２ａが上下方向で対向若しくは当接する。第２片部７５ｅには、貫通孔７５ａが形成されている。
【００３６】
第２係合片７７には、係止部７７ａの押下ヘッド５側となる表面７７ｆの先端側の前記第２片部７５ｅの貫通孔７５ａに対応する位置に突起体７７ｃが設けられている。
本変形例による吐出器１では、貫通孔７５ａの開口方向と突起体７７ｃの突出方向とが略水平方向となっている。
【００３７】
以上、本発明による吐出器の実施の形態について説明したが、本発明は上記の実施の形態に限定されるものではなく、その趣旨を逸脱しない範囲で適宜変更可能である。
例えば、前記実施形態では、第１係合片７５が周壁部７２の凸部７３に第１破断容易部７４を介して連結されているが、これに制限されることはない。すなわち、周壁部に対する凸部の形成位置は適宜設定することができ、また凸部と第１破断容易部とが非連結であってもかまわない。つまり、第１係合片７５を凸部形成位置以外の周壁部に第１破断容易部を介して連結されてもよい。
【００３８】
また、周壁部７２の下部筒部７２ｄの上端は、囲繞筒部５２の下端に下側から近接若しくは当接させずに、径方向に離間させたり、あるいは上下方向に遠く離したりしてもよい。
また、ポンプ４、押下ヘッド５等の構成は、前記実施形態に限定されることはない。例えば、ポンプ４は、空気シリンダや空気ピストン等がポンプ４に付け加えられたいわゆるフォーマポンプや、霧化用のチップを吐出孔に設けたスプレーポンプ等としてもよい。
【００３９】
さらに、第１破断容易部７４、および第２破断容易部７６として、破断可能な例えば薄肉部等の弱化部を形成したものであってもよい。そして、第１破断容易部７４、および第２破断容易部７６の位置についても第１係合片７５、第２係合片７７の長さや、装着キャップ３の案内筒部３３の形状、外径寸法等に応じて適宜変更することが可能である。
さらにまた、第１係合片７４、および第２係合片７５の形状、寸法、係合部の構造（貫通孔７５ａ、突起体７７ｃ）は、前記実施形態に制限されることはなく、適宜設定することができる。
【００４０】
また、前記実施形態では第１破断容易部７４および第２破断容易部７６を破断させることカバー体７に対して第１係合片７５と第２係合片７７とを分離させているが、例えば、カバー体７を吐出器本体６から外す場合において、図５に示すように、第１係合片７５および第２係合片７７をそれぞれ離間する方向（上述した互いに接近する方向と反対方向）に回転させ、突起体７７ｃの係止部７７ｅにおける基端側の端面が貫通孔７５ａの内面に引っ掛かることで、突起体７７ｃの基端部７７ｄを破断させ、第１係合片７５と第２係合片７７とを分離させるようにしてもよい。
【００４１】
また、本実施形態では、第２係合片７７の一対の係合部７７ａ、７７ａが板状連結部７７ｂによって連結された構造であるので、第１破断容易部７４での破断がカバー体７を吐出器本体６から外す条件となっているが、例えば第２係合片が板状連結部が省略された形状であれば、第１破断容易部７４および第２破断容易部７６のうち少なくとも一方を破断させればよい。
【００４２】
その他、本発明の趣旨を逸脱しない範囲で、上記した実施の形態における構成要素を周知の構成要素に置き換えることは適宜可能であり、また、上記した変形例を適宜組み合わせてもよい。
【符号の説明】
【００４３】
１  吐出器
２  容器体
２ａ  口部
３  装着キャップ
４  ポンプ
５  押下ヘッド
６  吐出器本体
７  カバー体
３１  天端部
３２  係合筒部
３３  案内筒部
３４  凹部
４１  ステム
５１  頂壁部
５２  囲繞筒部
７１  頂部
７２  周壁部
７２ａ  開口部
７３  凸部
７４  第１破断容易部
７５  第１係合片
７５ａ  貫通孔
７６  第２破断容易部
７７  第２係合片
７７ａ  係止部
７７ｃ  突起体
【図１】
2010274986.tif 000003
【図２】
2010274986.tif 000004
【図３】
2010274986.tif 000005
【図４】
2010274986.tif 000006
【図５】
2010274986.tif 000007
【図６】
2010274986.tif 000008
【図７】
2010274986.tif 000009